(57)【要約】【課題】問題が生ずることなく物品の視認性を確保することができる収容構造を提供する。【解決手段】箱体１のコーナー部分２１に開口部２２を設け、前面１２の一部及び第一側面１４の一部から箱本体１１内の物品２３を視認可能とする。箱本体１１内に無色透明の被覆板３１を収容する。被覆板本体４１の長さ寸法を箱本体１１の高さ寸法とほぼ同寸法に設定し、被覆板本体４１の幅寸法を箱本体１１の対角線５１とほぼ同寸法に設定する。被覆板３１を、第一側面１４及び後面１３が構成する第一角部６１と、前面１２及び第二側面１５が構成する第二角部６２との対角線５１上に延設する。被覆板本体３１に、開口部２２側へ突出する被覆部７１を膨出形成し、物品２３の開口部２２側の一部を収容可能とする。【選択図】図２
2010280399.tif 000002
【特許請求の範囲】
【請求項１】
相対向する前面及び後面と相対向する第一側面及び第二側面とを有した矩形状の箱体に、収容した物品が見えるように開口部が設けられた収容構造において、
少なくとも隣接した前記前面及び前記第一側面からなるコーナー部分に前記開口部を開設し、前記前面の一部及び前記第一側面の一部から内部を視認可能に構成する一方、
前記箱体に収容された状態で、前記第一側面及び前記後面が構成する第一角部と、前記前面及び前記第二側面が構成する第二角部との対角線上に沿って延設される透明性を有した被覆板に、少なくとも前記物品の前記開口部側の部分を収容した状態で被覆する被覆部を膨出形成したことを特徴とする収容構造。
【請求項２】
前記箱体の少なくとも前記前面又は前記第一側面と、前記被覆部との間に間隙を形成したことを特徴とする請求項１記載の収容構造。
【発明の詳細な説明】
【技術分野】
【０００１】
本発明は、物品を収容する収容構造に関する。
【背景技術】
【０００２】
従来、物品を収容する収容構造としては、詰め合わせ紙箱が知られている（例えば、特許文献１参照。）。
【０００３】
この詰め合わせ紙箱は、外側を形成する紙箱本体に、物品としての歯ブラシと歯磨きとを収容できるように構成されている。前記紙箱の前面には、開口部が開設されており、収容された歯ブラシと歯磨きの一部とを確認できるように構成されている。
【０００４】
前記歯ブラシは、当該歯ブラシを保持する膨出部が形成されたブリスターと、該ブリスターの裏面に接着された紙片とからなるブリスターパックに収容した状態で前記紙箱本体に収容されており、前記開口部からの不要な飛び出しが防止されている。
【先行技術文献】
【特許文献】
【０００５】
【特許文献１】特開２００１−２５３４７５公報
【発明の概要】
【発明が解決しようとする課題】
【０００６】
しかしながら、このような従来の収容構造にあっては、歯ブラシのような薄いものを収容する際にはブリスターが深絞りにならないため問題とならないが、厚手のものを収納する場合、前記ブリスターが薄肉となり、物品の保護が不十分になる。
【０００７】
また、歯ブラシ全体を覆うようにブリスターが形成されているため、プラスチック材料の使用量が多くなる。
【０００８】
また、歯ブラシを紙片で押さえる構造上、重い物品の保持には不向きであった。
【０００９】
本発明は、このような従来の課題に鑑みてなされたものであり、これらの問題を解決しつつ物品の視認性を確保することができる収容構造を提供することを目的とするものである。
【課題を解決するための手段】
【００１０】
前記課題を解決するために本発明の請求項１の収容構造にあっては、相対向する前面及び後面と相対向する第一側面及び第二側面とを有した矩形状の箱体に、収容した物品が見えるように開口部が設けられた収容構造において、少なくとも隣接した前記前面及び前記第一側面からなるコーナー部分に前記開口部を開設し、前記前面の一部及び前記第一側面の一部から内部を視認可能に構成する一方、前記箱体に収容された状態で、前記第一側面及び前記後面が構成する第一角部と、前記前面及び前記第二側面が構成する第二角部との対角線上に沿って延設される透明性を有した被覆板に、少なくとも前記物品の前記開口部側の部分を収容した状態で被覆する被覆部を膨出形成した。
【００１１】
すなわち、物品を収容した箱体には、隣接した前面と第一側面とからなるコーナー部分に開口部が開設されており、収容した物品が、前記前面の一部及び前記第一側面の一部から視認できるように構成されている。
【００１２】
そして、前記箱体には、透明性を有した被覆板が収容されており、該被覆板には、少なくとも前記物品の前記開口部側の部分を被覆する被覆部が膨出形成されている。このため、前記物品は、その表面が前記被覆部によって十分に保護される。
【００１３】
このとき、前記被覆板は、前記第一側面及び前記後面が構成する第一角部と、前記前面及び前記第二側面が構成する第二角部との対角線上に沿って延設されており、その両端部が前記各角部に支持されている。
【００１４】
これにより、前記開口部が設けられた前記コーナー部側への移動が阻止され、前記物品の前記開口部からの不用意な離脱が防止される。
【００１５】
また、請求項２の収容構造においては、前記箱体の少なくとも前記前面又は前記第一側面と、前記被覆部との間に間隙を形成した。
【００１６】
すなわち、前記物品の一部を被覆した前記被覆部と、前記箱体の前記前面又は前記第一側面との間には、間隙が確保されており、前記物品の表面は、前記前面又は前記第一側面より奥側に位置することとなる。
【発明の効果】
【００１７】
以上説明したように本発明の請求項１の収容構造にあっては、被覆板に膨出形成された被覆部は、少なくとも物品の開口部側の部分を被覆するように形成されている。このため、物品を全体的に被覆する必要があった従来と比較して、厚手の物品であっても、被覆板を深絞りすることなく、前記開口部側に面した前記物品部分を確実に保護することができる。また、深絞りを要しないため、被覆部が薄肉になることもなく、物品の表面保護を十分に行うことができる。
【００１８】
このとき、前記物品は、その一部が前記被覆部によって被覆されている。このため、物品を全体的に被覆するとともに裏面を紙片で押さえる従来と比較して、重い物品であっても、表面保護効果を十分に発揮することができる。
【００１９】
また、前記物品の一部を前記被覆部で被覆する構造上、物品全体を覆う従来と比較して、被覆板を形成する為の材料の使用量を押さえることができる。これにより、低コスト化を図ることができる。
【００２０】
そして、前記被覆板は、その両端が前記第一側面及び前記後面が構成する第一角部と、前記前面及び前記第二側面が構成する第二角部とによって支持されており、前記開口部が設けられた前記コーナー部側への移動を阻止することができる。
【００２１】
これにより、前記物品の前記開口部からの不用意な離脱を確実に防止することができる。
【００２２】
したがって、上記問題を解決しつつ物品の視認性を確保することができる。
【００２３】
また、請求項２の収容構造においては、前記物品の一部を被覆した前記被覆部と、前記箱体の前記前面又は前記第一側面との間に間隙を確保することによって、前記物品の表面を、前記前面又は前記第一側面より奥側に位置することができる。
【００２４】
このため、前記物品の表面が前記箱体の前記前面又は前記第一側面と面一となる場合、あるいは開口部が透明フィルムに覆われた箱体に物品を収容した収容構造と比較して、物品の立体感を強調することができる。これにより、購買力の向上に貢献することができる。
【図面の簡単な説明】
【００２５】
【図１】本発明の一実施の形態を示す斜視図である。
【図２】同実施の形態の平面図である。
【図３】同実施の形態の被覆板を示す説明図である。
【発明を実施するための形態】
【００２６】
以下、本発明の一実施の形態を図に従って説明する。
【００２７】
図１は、本実施の形態にかかる収容構造を示す図であり、該収容構造を備えた箱体１が示されている。
【００２８】
この箱体１の箱本体１１は、相対向して配置された前面１２及び後面１３と、前記前面１２及び後面１３を連設する相対向した第一側面１４及び第二側面１５とを備えた縦長の矩形状に形成されている。前記後面１３の上縁には、上部蓋部１６が折曲可能に設けられており、当該箱体の上部開口部１７を閉鎖できるように構成されている。また、前記後面１３の下縁には、図外の下部蓋部が折曲可能に設けられており、当該箱体１の下部開口部を閉鎖できるように構成されている。
【００２９】
この箱体１の前記前面１２及び前記第一側面１４からなるコーナー部分２１には、図１及び図２にも示すように、なだらかなカーブが設定されており、円弧状に形成されている。このコーナー部分２１には、開口部２２を開設されており、前記前面１２の一部及び前記第一側面１４の一部から当該箱本体１１内に収容された物品２３を視認できるように構成されている。
【００３０】
前記箱本体１１の内部には、長方形状の被覆板３１が収容されており、該被覆板３１は、無色透明の樹脂板がプレス成型されることによって形成されている。
【００３１】
この被覆板３１は、図３に示すように、被覆板本体４１と、該被覆板本体４１の下縁に折曲可能に連設された底部構成部４２と、前記被覆板本体４１の上縁に折曲可能に連設された天部構成部４３とによって構成されている。
【００３２】
前記被覆板本体４１の長さ寸法は、前記箱本体１１の高さ寸法とほぼ同寸法に設定されており、当該被覆板本体４１の幅寸法は、前記箱本体１１の対角線５１とほぼ同寸法に設定されている。
【００３３】
これにより、当該被覆板３１を前記箱本体１１に収容した状態で、図２に示したように、前記第一側面１４及び前記後面１３が構成する第一角部６１と、前記前面１２及び前記第二側面１５が構成する第二角部６２との対角線５１上に沿って延設できるように構成されている。
【００３４】
この被覆板本体４１には、図２及び図３に示したように、前記対角線５１に沿って配置した状態において、前記開口部２２側へ向けて突出する被覆部７１が膨出形成されており、該被覆部７１は、前記物品２３の前記開口部２２側の一部を収容した状態で被覆できるように構成されている。
【００３５】
この状態において、前記箱本体１１の前記前面１２と前記被覆部７１との間には、図２に示したように、前側間隙８１が確保されるとともに、前記第一側面１４と前記被覆部７１との間には、横側間隙８２が確保されるように前記被覆板本体４１からの前記被覆部７１の突出量が設定されている。
【００３６】
前記被覆板本体４１の下縁に連設された前記底部構成部４２は、前記被覆板本体４１を前記対角線５１に沿って配置した状態で、該対角線５１と、前記後面１３及び前記第二側面１５とからなる第三角部９１側に折曲した状態で、該第三角部９１と前記対角線５１との間に配置可能な三角形状に形成されており、当該底部構成部４２には、前記物品２３の底面を支持する為の底部支持部９２が膨出形成されている。
【００３７】
また、前記被覆板本体４１の上縁に連設された前記天部構成部４３も折曲した状態で、前記対角線５１と前記第三角部９１との間に配置可能な三角形状に形成されており、当該天部構成部４３には、前記物品２３の天部を位置決めする円弧状の天部支持部１０１が膨出形成されている。
【００３８】
以上の構成にかかる本実施の形態において、物品２３を収容した箱体１には、隣接した前面１２と第一側面１４とからなるコーナー部分２１に開口部２２が開設されており、収容した物品２３を、前記前面１２の一部及び前記第一側面１４の一部から視認することができる。
【００３９】
そして、前記箱体１には、無色透明の被覆板３１が収容されており、該被覆板３１には、前記物品２３の前記開口部２２側の部分を被覆する被覆部７１が膨出形成されている。
【００４０】
このため、前記物品２３を全体的に被覆する必要があった従来と比較して、厚手の物品２３であっても、前記被覆板３１を深絞りすることなく、前記開口部２２側に面した前記物品２３の部分を確実に保護することができる。また、深絞りを要しないため、前記被覆部７１が薄肉になることもなく、物品２３の表面保護を十分に行うことができる。
【００４１】
このとき、前記物品２３は、その一部が前記被覆部７１によって被覆されている。このため、物品２３を全体的に被覆するとともに裏面を紙片で押さえる従来と比較して、重い物品２３であっても、表面保護効果を十分に発揮することができる。
【００４２】
また、前記物品２３の一部を前記被覆部７１で被覆する構造上、物品２３全体を覆う従来と比較して、被覆板３１を形成する為の材料の使用量を押さえることができる。これにより、低コスト化を図ることができる。
【００４３】
そして、前記被覆板３１は、その両端が前記第一側面１４及び前記後面１３が構成する第一角部６１と、前記前面１２及び前記第二側面１５が構成する第二角部６２とによってその前後から支持されており、前記開口部２２が設けられた前記コーナー部分２１側への移動を阻止することができる。
【００４４】
これにより、前記物品２３の前記開口部２２からの不用意な離脱を確実に防止することができる。
【００４５】
したがって、上記問題を解決しつつ物品２３の視認性を確保することができる。
【００４６】
一方、前記物品２３の一部を被覆した前記被覆部７１と前記箱本体１１の前記前面１２との間には、前記前側間隙８１が確保されているとともに、前記第一側面１４と前記被覆部７１との間には、横側間隙８２が確保されており、前記物品２３の表面を前記前面１２又は前記第一側面１４より奥側に位置することができる。
【００４７】
このため、前記物品２３の表面が前記箱本体１１の前記前面１２又は前記第一側面１４と面一となる場合、あるいは開口部２２が透明フィルムに覆われた箱体に物品を収容した収容構造と比較して、物品２３の立体感を強調することができる。
【００４８】
これにより、購買力の向上に貢献することができる。
【符号の説明】
【００４９】
１    箱体
１２    前面
１３    後面
１４    第一側面
１５    第二側面
２１    コーナー部
２２    開口部
２３    物品
３１    被覆板
５１    対角線
６１    第一角部
６２    第二角部
７１    被覆部
８１    前側間隙
８２    横側間隙
【図１】
2010280399.tif 000003
【図２】
2010280399.tif 000004
【図３】
2010280399.tif 000005